(57)【要約】      （修正有）【課題】祭壇の有効な再利用を図ること。【解決手段】上段部１３２Ｕに重なるように内側に折り畳まれている第１の側面部材１３の可動片部１３１を展開し、上段部１４２Ｕに重なるように内側に折り畳まれている第２の側面部材の可動片部１４１を展開すると共に、背面部材１５の内面に重ね合わせられている上段正面部材１１を展開する。第１および第２の側面部材１３の下段部１３２Ｌと同一面をなすように第１および第２の側面部材１３の可動片部１３１、１４１を調整する。第２の側面部材の可動片部１４１に連接されている上段正面部材１１の係合部１１１と下段正面部材１２の被係合部１２１とを係合させて正面部３５を形成し箱体を得る。【選択図】図３
0003135273.tif 000002
【実用新案登録請求の範囲】
【請求項１】
祭壇および箱体を形成可能な組立用シートであって、
被係合部が形成されている下段正面部と、
可動片部と、上段上辺部と下段上辺部とを接続する蹴上部に前記可動片部が折り曲げ可能に連接されている階段状部とを有する第１の側面部と、
前記被係合部に係合する上段正面部が連接されている可動片部と、上段上辺部と下段上辺部とを接続する蹴上部に前記可動片部が折り曲げ可能に連接されている階段状部とを有する第２の側面部と、
前記第１および第２の側面部と連接されている背面部と、  
前記背面部と連接されている頂面部と、
前記下段正面部、第１および第２の側面部、並びに背面部と連接されている底面部とを備え、
前記第１の側面部および第２の側面部における前記可動片部を伸張し、前記係合部と前記被係合部とを係合させて前記上段正面部と前記下段正面部と組み合わせることによって箱体を形成可能な組立用シート。
【請求項２】
請求項１に記載の祭壇および箱体を形成可能な組立用シートにおいて、
前記第２の側面部の可動片部には、前記上段正面部の一部が連接され、
前記第１の側面部の可動片部には、前記上段正面部の残部が連接されている組立用シート。
【請求項３】
請求項１または２に記載の祭壇および箱体を形成可能な組立用シートにおいて、
前記箱体の内側には、前記上段正面部と、第１および第２の側面部の可動片部とを補強する補強部材が装着されている組立用シート。
【請求項４】
請求項１または２に記載の祭壇および箱体を形成可能な組立用シートにおいて、前記組立用シートは、
前記第１の側面部における前記可動片部を折り畳んで前記第１の側面部を階段形状とし、前記第２の側面部における前記可動片部を折り畳んで前記第２の側面部を階段形状とし、前記背面部に対して前記上段正面部および頂面部を重ね合わせて祭壇を形成可能な組立用シート。
【請求項５】
請求項４に記載の祭壇および箱体を形成可能な組立用シートにおいて、
前記第１および第２の側面部の可動片部の上辺、前記第１および第２の側面部における前記上段上辺部および下段上辺部には、補強梁を装着するための梁装着部が形成されている組立用シート。
【請求項６】
祭壇であって、
被係合部が形成されている下段正面部材と、
折り曲げ可能な可動片部を有し、前記可動片部を折り畳むことによって、上段形成部および下段形成部が形成される階段状の第１の側面部材と、
前記被係合部に係合する上段正面部材が連接されている折り曲げ可能な可動片部を有し、前記可動片部を折り畳むことによって、上段形成部および下段形成部が形成される階段状の第２の側面部材と、
頂面部材と連接され、前記上段正面部材および頂面部材が重ね合わされる背面部材と、
前記下段正面部材、第１および第２の側面部材、並びに背面部材と連接されている底面部材とを備え、
前記頂面部材と、前記第１の側面部材および第２の側面部材の可動片部とを展開し、前記係合部と前記被係合部とを係合させて前記上段正面部材と前記下段正面部材と組み合わせることによって箱体を形成可能な祭壇。
【請求項７】
請求項６に記載の祭壇において、
前記箱体が形成されている場合に、前記箱体の内側には、前記上段正面部材と、第１および第２の側面部材の可動片部とを補強する補強部材が装着される祭壇。
【請求項８】
箱体であって、
一方に係合部、他方に被係合部が形成されている、分割可能な上片と下片とを有する正面部材と、
前記正面部材の下片と連接されている下段部を含む階段状部と、前記下段部の上部に配置され前記正面部材の上片と連接されている折り曲げ可能な可動片部とを有する第１の側面部材と、
前記正面部材の下片と連接されている下段部を含む階段状部と、前記下段部の上部に配置されている折り曲げ可能な可動片部とを有する第２の側面部材と、
前記第１および第２の側面部材と連接されている背面部材と、
前記背面部材と連接されている頂面部材と、
前記正面部材、背面部材、第１および第２の側面部材と連接されている底面部材とを備え、
前記第１の側面部材における前記可動片部を折り畳んで前記第１の側面部を階段形状とし、前記第２の側面部における前記可動片部を折り畳んで前記第２の側面部を階段形状とし、前記背面部材に対して前記上段正面部材および頂面部材を重ね合わせて祭壇を形成可能な箱体。
【請求項９】
請求項８に記載の箱体において、
前記第１および第２の側面部材の可動片部および下段部の上辺、前記第１および第２の側面部材の上段部の上辺には、前記祭壇が形成されている場合に、補強梁を装着するための梁装着部が形成されている箱体。
【考案の詳細な説明】
【技術分野】
【０００１】
本考案は、祭壇および箱体として利用可能な祭壇および箱体を形成可能な組立用シートに関する。
【背景技術】
【０００２】
斎場における葬儀が一般的となった今日においても、各家庭において、４９日を迎えるまで仮祭壇が祭られている。４９日を終えた後、仮祭壇は不要となるが、例えば、仮祭壇が再利用を前提とした堅牢な部材によって作製されている場合には、各家庭において処分することもできず葬儀社によって引き取られていた。また、一度の使用を前提とした簡易な仮祭壇であっても、その性格上、一般の廃棄物として処分し難いという実情がある。
【０００３】
また、葬儀、４９日を終えた後、故人の遺品整理が行われるが、残された遺族にとって故人の遺品は処分し難く、特に思い入れのある遺品については単なる廃棄による処分に踏み切れないのが現状である。
【考案の開示】
【考案が解決しようとする課題】
【０００４】
近年では、種々の分野において、環境保護の側面から製品のリサイクル、リユースが検討されている。したがって、一度の利用を前提とした仮祭壇を有効に再利用することができれば、葬祭用品についてのリユースに資することができる。
【０００５】
本考案は、上記した従来の課題の少なくとも一部を解決するためになされた考案であり、祭壇の有効な再利用を図ることを目的とする。
【課題を解決するための手段】
【０００６】
上記課題の少なくとも一部を解決するための本願考案は以下の態様を採る。
【０００７】
本考案の第１の態様は、祭壇および箱体を形成可能な組立用シートを提供する。本考案の第１の態様に係る祭壇および箱体を形成可能な組立用シートは、被係合部が形成されている下段正面部と、可動片部と、上段上辺部と下段上辺部とを接続する蹴上部に前記可動片部が折り曲げ可能に連接されている階段状部とを有する第１の側面部と、前記被係合部に係合する上段正面部が連接されている可動片部と、上段上辺部と下段上辺部とを接続する蹴上部に前記可動片部が折り曲げ可能に連接されている階段状部とを有する第２の側面部と、前記第１および第２の側面部と連接されている背面部と、前記背面部と連接されている頂面部と、前記下段正面部、第１および第２の側面部、並びに背面部と連接されている底面部とを備え、
前記第１の側面部および第２の側面部における前記可動片部を伸張し、前記係合部と前記被係合部とを係合させて前記上段正面部と前記下段正面部と組み合わせることによって箱体を形成可能である。
【０００８】
本考案の第１の態様に係る祭壇および箱体を形成可能な組立用シートによれば、祭壇および箱体のいずれとしても用いることができるので、祭壇を有効に再利用することができる。
【０００９】
本考案の第１の態様に係る祭壇および箱体を形成可能な組立用シートにおいて、前記第２の側面部の可動片部には、前記上段正面部の一部が連接され、前記第１の側面部の可動片部には、前記上段正面部の残部が連接されていても良い。この場合にも、祭壇および箱体のいずれとしても用いることができるので、祭壇を有効に再利用することができる。
【００１０】
本考案の第１の態様に係る祭壇および箱体を形成可能な組立用シートにおいて、前記箱体の内側には、前記上段正面部と、第１および第２の側面部の可動片部とを補強する補強部材が装着されていても良い。この場合には、箱体の強度を向上させることができる。
【００１１】
本考案の第１の態様に係る祭壇および箱体を形成可能な組立用シートにおいて、前記組立用シートは、前記第１の側面部における前記可動片部を折り畳んで前記第１の側面部を階段形状とし、前記第２の側面部における前記可動片部を折り畳んで前記第２の側面部を階段形状とし、前記背面部に対して前記上段正面部および頂面部を重ね合わせて祭壇を形成可能であっても良い。この場合には、祭壇を形成することができると共に、祭壇を箱体として有効利用することができる。
【００１２】
本考案の第１の態様に係る祭壇および箱体を形成可能な組立用シートにおいて、前記第１および第２の側面部の可動片部の上辺、前記第１および第２の側面部における前記上段上辺部および下段上辺部には、補強梁を装着するための梁装着部が形成されていても良い。この場合には、祭壇の強度を向上させることができる。
【００１３】
本考案の第２の態様は、祭壇を提供する。本考案の第２の態様に係る祭壇は、被係合部が形成されている下段正面部材と、折り曲げ可能な可動片部を有し、前記可動片部を折り畳むことによって、上段形成部および下段形成部が形成される階段状の第１の側面部材と、前記被係合部に係合する上段正面部材が連接されている折り曲げ可能な可動片部を有し、前記可動片部を折り畳むことによって、上段形成部および下段形成部が形成される階段状の第２の側面部材と、頂面部材と連接され、前記上段正面部材および頂面部材が重ね合わされる背面部材と、前記下段正面部材、第１および第２の側面部材、並びに背面部材と連接されている底面部材とを備え、
前記頂面部材と、前記第１の側面部材および第２の側面部材の可動片部とを展開し、前記係合部と前記被係合部とを係合させて前記上段正面部材と前記下段正面部材と組み合わせることによって箱体を形成可能である。
【００１４】
本考案の第２の態様に係る祭壇によれば、祭壇から箱体を形成することができるので、祭壇を有効に再利用することができる。
【００１５】
本考案の第２の態様に係る祭壇において、前記箱体が形成されている場合に、前記箱体の内側には、前記上段正面部材と、第１および第２の側面部材の可動片部とを補強する補強部材が装着されても良い。この場合には、箱体の強度を向上させることができる。
【００１６】
本考案の第３の態様は、箱体を提供する。本考案の第３の態様に係る箱体は、一方に係合部、他方に被係合部が形成されている、分割可能な上片と下片とを有する正面部材と、前記正面部材の下片と連接されている下段部を含む階段状部と、前記下段部の上部に配置され前記正面部材の上片と連接されている折り曲げ可能な可動片部とを有する第１の側面部材と、前記正面部材の下片と連接されている下段部を含む階段状部と、前記下段部の上部に配置されている折り曲げ可能な可動片部とを有する第２の側面部材と、前記第１および第２の側面部材と連接されている背面部材と、前記背面部材と連接されている頂面部材と、前記正面部材、背面部材、第１および第２の側面部材と連接されている底面部材とを備え、
前記第１の側面部材における前記可動片部を折り畳んで前記第１の側面部を階段形状とし、前記第２の側面部における前記可動片部を折り畳んで前記第２の側面部を階段形状とし、前記背面部材に対して前記上段正面部材および頂面部材を重ね合わせて祭壇を形成可能である。
【００１７】
本考案の第３の態様に係る箱体によれば、箱体を祭壇としても使用することができるので、祭壇と箱体との間で有効に活用することができる。
【００１８】
本考案の第３の態様に係る箱体において、前記第１および第２の側面部材の可動片部および下段部の上辺、前記第１および第２の側面部材の上段部の上辺には、前記祭壇が形成されている場合に、補強梁を装着するための梁装着部が形成されていても良い。この場合には、祭壇の強度を向上させることができる。
【考案を実施するための最良の形態】
【００１９】
以下、本考案に係る組立用シート、祭壇および箱体について、図面を参照しつつ、実施例に基づいて説明する。
【００２０】
組立用シートの構成：
図１は本実施例に係る組立用シートの第１の面を示す説明図である。図２は本実施例に係る組立用シートの第２の面を示す説明図である。本実施例に係る組立用シート１００は、上段正面部材１１、下段正面部材１２、第１の側面部材１３、第２の側面部材１４、背面部材１５、頂面部材１６、底面部材１７を備えている。組立用シート１００は、段ボール等の紙製部材から形成されても良く、あるいは、木製板材、金属製板材、プラスチック製板材といった板材を、布、蝶番等のジョイント部材といった連接部材で連接することによって形成されても良い。いずれの場合にも、折り畳みおよび展開によって、祭壇と箱体との間で変形可能な構成であれば良い。
【００２１】
上段正面部材１１と下段正面部材１２とは、組み合わさることで矩形状の正面部材１０を形成する。上段正面部材１１は下段正面部材１２と接する側の略中央部に２つの係合部１１１を有している。下段正面部材１２は上段正面部材１１と接する側の略中央部に、係合部１１１に対応する２つの被係合部１２１を有している。なお、本実施例では、円形状の係合部１１１および被係合部１２１を例にとって説明するが、この他にも三角形、四角形といった多角形、クローバ形状といった任意の幾何学形状であっても良い。また、係合部１１１および被係合部１２１の数は１つでも３つ以上でも良い。
【００２２】
第１の側面部材１３は矩形状の部材であり、組み立て時に上側に位置する可動片部１３１、階段形状の階段状部１３２とを有している。階段状部１３２は、上段部１３２Ｕ、組み立て時に可動片部１３１の下側に位置すると共に、下段正面部材１２と連接されている突状の下段部１３２Ｌを有している。可動片部１３１の上辺には祭壇形成時に梁部材を係合するための溝状の梁部材係合部１３ａが形成されている。階段状部１３２の上段部上辺および下段部上辺には祭壇形成時に梁部材を係合するための溝状の梁部材係合部１３ｂ、１３ｃがそれぞれ形成されている。可動片部１３１と階段状部１３２との連接部１３３は、上段部１３２Ｕにおける蹴上部を形成し、上段部１３２Ｕおよび下段部１３２Ｌの上辺は踏み面部を形成している。可動片部１３１と階段状部１３２とは、例えば、一つの部材を部分的に切断することによって形成されてもよく、あるいは、別部材である可動片部と階段状部とを連接部材によって連接することによって形成されても良い。
【００２３】
第２の側面部材１４は矩形状の部材であり、組み立て時に上側に位置する可動片部１４１、階段形状の階段状部１４２とを有している。階段状部１４２は、上段部１４２Ｕ、組み立て時に可動片部１４１の下側に位置すると共に、下段正面部材１２と連接されている突状の下段部１４２Ｌを有している。可動片部１４１の上辺には祭壇形成時に梁部材を係合するための溝状の梁部材係合部１４ａが形成されている。階段状部１４２の上段部上辺および下段部上辺には祭壇形成時に梁部材を係合するための溝状の梁部材係合部１４ｂ、１４ｃがそれぞれ形成されている。可動片部１４１と階段状部１４２との連接部１４３は、上段部１４２Ｕにおける蹴上部を形成し、上段部１４２Ｕおよび下段部１４２Ｌの上辺は踏み面部を形成している。可動片部１４１および階段状部１４２は、第１の側面部材１３と同様にして形成可能である。第２の側面部材１４の可動片部１４１には、上段正面部材１１が連接されている。可動片部１４１と上段正面部材１１とは、一つの部材から形成されてもよく、あるいは、別部材を連接部材によって連接することによって形成されても良い。
【００２４】
背面部材１５および頂面部材１６は矩形状の部材である。背面部材１５は、第１の側面部材１３および第２の側面部材１４の階段状部１３２、１４２、および頂面部材１６と連接されている。背面部材１５、第１の側面部材１３および第２の側面部材１４の階段状部１３２、１４２、および頂面部材１６は、一つの部材から形成されてもよく、あるいは、別部材を連接部材によって連接することによって形成されても良い。頂面部材１６は、組み立て時に上段正面部材１１の内側に差し込まれる差込片１６１、祭壇形成時に折れ曲がって底面部材１７の一部に重ねるための折り目１６２を備えている。
【００２５】
底面部材１７は、下段正面部材１２、第１および第２の側面部材１３、１４の階段状部１３２、１４２、背面部材１５と連接されている４つの底面部形成片１７ａ、１７ｂ、１７ｃ１７ｄからなり、これら４つの底面部形成片１７ａ〜１７ｄが組み合わされることによって底面部材１７が形成される。なお、底面部材１７は、例えば、背面部材１５と連接されている矩形状の部材によって形成されても良い。
【００２６】
祭壇の構成：
図３〜図６は組立用シートから祭壇を組み立てる際の主要な工程における外観構成を示す説明図である。図７は組み立てられた祭壇の外観構成を示す説明図である。
【００２７】
折り畳まれた状態にある組立用シート１００を展開し、底面部を形成する。この結果、図３に示すように、底面部を４面が囲む箱状体が形成される。本実施例では、底面部は下段正面部材１２、第１および第２の側面部材１３、１４、および背面部材１５に連接されている底面部形成片１７ａ〜１７ｄを組み合わせることによって形成される。
【００２８】
図３に示す状態から、第１の側面部材１３の可動片部１３１を、上段部１３２Ｕに重なるように内側に折り畳み、第２の側面部材１４の可動片部１４１を、上段部１４２Ｕに重なるように内側に折り畳むと共に上段正面部材１１を背面部材１５の内面に重ね合わせて図４に示す中間状態の基本骨格を得る。図４に示す状態からさらに、頂面部材１６の一部を背面部材１５の内面に重ね合わせ、折り目１６２から先の頂面部材１６を底面部１７の内面の一部に重ね合わせることで、図５に示す祭壇の基本骨格が形成される。本実施例に係る祭壇１００ａの基本骨格は、２段の階段状の２つの側面部３０、３１と、各側面部３０、３１を接続する矩形上の背面部３２、底面部３３、下段正面部３４を備えている。各側面部３０、３１には、接地面に対して水平な２つの踏み面部３０ａ、３１ａと、接地面に対して垂直であると共に２つの踏み面部３０ａ、３１ａを接続する蹴上部３０ｂ、３１ｂが形成されている。
【００２９】
図５に示す祭壇１００ａの基本骨格に対して、図６に示すように２つの横梁２０を組み合わせる。横梁２０は断面がコの字状の部材であり、第１および第２の側面部材１３、１４に形成されている係合部１３ａ〜１３ｃ、１４ａ〜１４ｃに係合されることで、基本骨格に対して組み合わされる。最後に、図７に示すように、横梁２０が組み合わされた基本骨格をシート状のシート部材２５で覆い、祭壇１００ａが完成する。シート部材２５は、１枚または２枚（複数枚）の部材であっても良い。複数枚の場合には、図５に示すように、第１および第２の側面部材１３、１４にシート部材２５の係合部１３ｄ、１４ｄを形成しておき、シート部材２５を係合し、シート部材２５のずれを抑制または防止するようにしてもよい。シート部材２５を配置することによって、階段の踏み面２５ａおよび蹴上がり２５ｂが形成される。
【００３０】
箱体の構成：
図８〜図１０は祭壇から箱体を組み立てる際の主要な工程における外観構成を示す説明図である。図１１は組み立てられた箱体の外観構成を示す説明図である。
【００３１】
組立用シート１００を、祭壇１００ａとして使用された状態から、身の回りの遺品等を収納するための箱体１００ｂを形成するための手順について以下説明する。図７に示す状態から、シート部材２５、横梁２０を取り外し、図５に示す基本骨格状態を得る。次に、上段部１３２Ｕに重なるように内側に折り畳まれている第１の側面部材１３の可動片部１３１を展開し、上段部１４２Ｕに重なるように内側に折り畳まれている第２の側面部材１４の可動片部１４１を展開すると共に、背面部材１５の内面に重ね合わせられている上段正面部材１１を展開して図３に示す箱状体を得る。
【００３２】
図３に示す状態から、第１および第２の側面部材１３、１４の下段部１３２Ｌ、１４２Ｌと同一面をなすように第１および第２の側面部材１３、１４の可動片部１３１、１４１を調整する。第２の側面部材１４の可動片部１４１に連接されている上段正面部材１１の係合部１１１と下段正面部材１２の被係合部１２１とを係合させて正面部３５を形成し、図８に示す箱体１００ｂを得る。
【００３３】
図９に示すように、箱体１００ｂの正面部材１０（上段および下段正面部材１１、１２）と、第１および第２の側面部材１３、１４の正面部材側の内面に両面テープ４１によって補強部材４０を貼り付ける。すなわち、第１および第２の側面部材１３、１４の可動片部１３１、１４１は可動自在であり、また、第１の側面部材１３の可動片部１３１は上段正面部材１１と連接されておらず、これら可動片部１３１、１４１を固定して箱体１００ｂの体を保持するためである。なお、補強部材４０と正面部材１０、第１および第２の側面部材１３、１４とは、両面テープ４１、接着剤等によって一体化される。また、補強部材４０は、第１および第２の側面部材１３、１４の正面部材側（可動片部１３１、１４１と重なる位置）のみならず、第１および第２の側面部材１３、１４の全面または、正面部材側から１／３、２／３の位置といった任意の位置にわたって配置されても良い。少なくとも、第１および第２の側面部材１３、１４の可動片部１３１、１４１を固定することができればよい。
【００３４】
箱体１０ｂに対する補強部材４０の貼り付けが終了すると、図１０に示す箱体１０ｂが完成する。遺品等を収容した後に、図１１に示すように頂面部材１６（蓋体）を閉めて、搬送に供される。
【００３５】
以上説明したように、本実施例に係る組立用シート１００によれば、祭壇１００ａとして使用した後に、箱体１００ｂとして活用することができる。すなわち、例えば、４９日にまで仮祭壇として用いられた組立体１００ａを、箱体１００ｂとして再利用することができるので、仮祭壇の廃棄、回収作業を不要とすることができる。
【００３６】
祭壇１００ａから組み立てられた箱体１００ｂは、遺品等を収容する整理箱として利用することができる。仮祭壇の回収に代えて、整理箱を回収することにより、遺族には遺品等を気持ちよく整理することができると共に仮祭壇の回収作業への立会いが不要になるという利点が生じ、葬儀社には単純な仮祭壇の回収作業に代えて整理箱の回収という業務拡張の機会を得ることができる。回収した整理箱は、例えば、供養の上、焼却され、あるいは、保管される。
【００３７】
・その他の実施例：
（１）上記実施例では、第２の側面部材１４の可動片部１４１に連接する上段正面部材１１を用いたが、この他にも、例えば、第１および第２の側面部材１３、１４の各可動片部１３１、１４１に、半分の長さでそれぞれ連接する上段正面部材を用いても良い。この場合には、正面左右の角部を形成する、第１および第２の側面部材１３、１４の各可動片部１３１、１４１と上段正面部材とが連接部となる（一体に形成されている）ので角部の強度を向上させることができる。
【００３８】
（２）上記実施例では、２段の祭壇１００ａを例にとって説明したが、本実施例に係る祭壇１００ａは、３段、４段といった多段の祭壇に対しても適用可能である。この場合には、第１および第２の側面部材１３、１４が複数の可動片部を有することとなり、各可動片部は折り畳み時に要求される上段部寸法を実現するために、複数回折り畳まれる点を除いて、上記実施例と同様に実現できる。
【００３９】
以上、実施例、変形例に基づき本考案について説明してきたが、上記した考案の実施の形態は、本考案の理解を容易にするためのものであり、本考案を限定するものではない。本考案は、その趣旨並びに特許請求の範囲を逸脱することなく、変更、改良され得ると共に、本考案にはその等価物が含まれる。
【図面の簡単な説明】
【００４０】
【図１】本実施例に係る組立用シートの第１の面を示す説明図である。
【図２】本実施例に係る組立用シートの第２の面を示す説明図である。
【図３】組立用シートから祭壇を組み立てる際の主要な工程における外観構成を示す説明図である。
【図４】組立用シートから祭壇を組み立てる際の主要な工程における外観構成を示す説明図である。
【図５】組立用シートから祭壇を組み立てる際の主要な工程における外観構成を示す説明図である。
【図６】組立用シートから祭壇を組み立てる際の主要な工程における外観構成を示す説明図である。
【図７】組み立てられた本実施例に係る祭壇の外観構成を示す説明図である。
【図８】祭壇から箱体を組み立てる際の主要な工程における外観構成を示す説明図である。
【図９】祭壇から箱体を組み立てる際の主要な工程における外観構成を示す説明図である。
【図１０】祭壇から箱体を組み立てる際の主要な工程における外観構成を示す説明図である。
【図１１】組み立てられた本実施例に係る箱体の外観構成を示す説明図である。
【符号の説明】
【００４１】
１００…組立用シート
１００ａ…祭壇
１００ｂ…箱体
１０…正面部材
１１…上段正面部材
１１１…係合部
１２…下段正面部材
１２１…被係合部
１３…第１の側面部材
１３ａ〜１３ｄ…係合部
１３１…可動片部
１３２…階段状部
１３２Ｕ…上段部
１３２Ｌ…下段部
１４…第２の側面部材
１４ａ〜１４ｄ…係合部
１４１…可動片部
１４２…階段状部
１４２Ｕ…上段部
１４２Ｌ…下段部
１５…背面部材
１６…頂面部材
１６１…差込片
１６２…折り曲げ線
１７…底面部材
２０…横梁
２５…シート部材
２５ａ…踏み面
２５ｂ…蹴上がり
３０、３１…側面部
３０ａ、３１ａ…踏み面部
３０ｂ、３１ｂ…蹴上部
３２…背面部
３３…底面部
３４…下段正面部
３５…正面部
４０…補強部材
【図１】
0003135273.tif 000003
【図２】
0003135273.tif 000004
【図３】
0003135273.tif 000005
【図４】
0003135273.tif 000006
【図５】
0003135273.tif 000007
【図６】
0003135273.tif 000008
【図７】
0003135273.tif 000009
【図８】
0003135273.tif 000010
【図９】
0003135273.tif 000011
【図１０】
0003135273.tif 000012
【図１１】
0003135273.tif 000013